(57)【要約】      （修正有）【課題】使用者が容易に使用することが可能な操作部を備えたマッサージ機を提供する。【解決手段】使用者の身体をマッサージするマッサージ手段と、前記使用者により前記マッサージ手段に所定動作を行わせるべく操作可能に構成される操作部と、前記操作部の操作に基づいて前記マッサージ手段を制御する制御部とを備えたマッサージ機であって、操作部５１は、使用頻度が比較的高いメインスイッチ群５２と、使用頻度が比較的低いサブスイッチ群５３とを有し、メインスイッチ群５２の周囲を覆うように光源部５５が備えられる。【選択図】図４
2011250839.tif 000002
【特許請求の範囲】
【請求項１】
使用者の身体をマッサージするマッサージ手段と、前記使用者により前記マッサージ手段に所定動作を行わせるべく操作可能に構成される操作部と、前記操作部の操作に基づいて前記マッサージ手段を制御する制御部とを備えたマッサージ機であって、
前記操作部は、前記使用者の使用頻度が比較的高いメインスイッチと、使用頻度が比較的低いサブスイッチとを有し、前記メインスイッチの周囲を覆うように光源部を備えたことを特徴とするマッサージ機。
【請求項２】
請求項１に記載のマッサージ機において、
前記光源部は、複数の色に変化可能な光源であり、
前記制御部は、マッサージ機の各状態を、前記光源部による所定の色と対応づけることにより報知することを特徴とするマッサージ機。
【請求項３】
請求項１又は２に記載のマッサージ機において、
前記制御部は、前記マッサージ手段動作中に前記光源部の明るさを変化させることを特徴とするマッサージ機。
【請求項４】
請求項１〜３のいずれか一項に記載のマッサージ機において、
前記使用者の生体情報を測定する生体情報測定手段を備え、
前記制御部は、前記生体情報測定手段により測定された生体情報に応じて前記光源部の色を決定することを特徴とするマッサージ機。
【発明の詳細な説明】
【技術分野】
【０００１】
本発明は、使用者による操作が可能な操作部を備えたマッサージ機に関するものである。
【背景技術】
【０００２】
従来、使用者が着座可能な座部の後部に背もたれ部が設けられた椅子型を成すマッサージ機が広く知られている。このようなマッサージ機では、背もたれ部内部に揉み玉を有するマッサージ機構が設けられるとともに、このマッサージ機構によって使用者の身体をマッサージするようになっている。
【０００３】
また、近年のマッサージ機は、前記マッサージ機構の強弱調整や位置調整、その他の機能の開発によって高機能化が図られている。このため、マッサージ機には、使用者が操作可能な操作部を備えたものが知られている（例えば特許文献１参照）。
【先行技術文献】
【特許文献】
【０００４】
【特許文献１】特開平１−４６４５７号公報
【発明の概要】
【発明が解決しようとする課題】
【０００５】
ところで、上記のようなマッサージ機の操作部には、マッサージ機の種々の機能を容易に選択することができる各種スイッチが設けられている。これらスイッチ内で、利便性の高いことから使用頻度が必然的に高いメインスイッチには、絵柄等が印刷されているなど、他のスイッチよりも目立つように構成された操作部が知られている。
【０００６】
しかしながら、スイッチ自体が小さいなどの理由から絵柄等が印刷されていても見辛く、このような問題の改善が望まれている。
本発明は、上記課題を解決するためになされたものであって、その目的は、使用者が容易に使用することが可能な操作部を備えたマッサージ機を提供することにある。
【課題を解決するための手段】
【０００７】
上記課題を解決するために、本発明のマッサージ機は、使用者の身体をマッサージするマッサージ手段と、前記使用者により前記マッサージ手段に所定動作を行わせるべく操作可能に構成される操作部と、前記操作部の操作に基づいて前記マッサージ手段を制御する制御部とを備えたマッサージ機であって、前記操作部は、使用頻度が比較的高いメインスイッチと、使用頻度が比較的低いサブスイッチとを有し、前記メインスイッチの周囲を覆うように光源部を備えたこと特徴とする。
【０００８】
上記構成において、光源部は、光源部は、複数の色に変化可能な光源であり、制御部は、マッサージ機の各状態を、光源部による所定の色と対応づけることにより報知することが好ましい。
【０００９】
上記構成において、制御部は、マッサージ手段動作中に光源部の明るさを変化させることが好ましい。
上記構成において、使用者の生体情報を測定する生体情報測定手段を備え、制御部は、生体情報測定手段により測定された生体情報に応じて前記光源部の色を決定することが好ましい。
【発明の効果】
【００１０】
本発明によれば、使用者が容易に使用することが可能な操作部を備えたマッサージ機を提供することができる。
【図面の簡単な説明】
【００１１】
【図１】本実施形態におけるマッサージ機の概略構成図である。
【図２】同上におけるマッサージ機の側面図である。
【図３】マッサージ機の電気的構成を説明するためのブロック図である。
【図４】操作部の正面図である。
【図５】光源部の発光色の制御例について説明するための説明図である。
【図６】光源部の発光色の制御例について説明するためのグラフである。
【発明を実施するための形態】
【００１２】
図１は、本実施形態のマッサージ機１０を示す。本実施形態のマッサージ機１０は、左右一対の支持脚部１１（１つのみ図示）にて支持された座部１２の後部に背もたれ部１３が幅方向の回動軸にて傾動可能に組み付けられるとともに、座部１２の前部にオットマン１４が同方向の回動軸にて傾動可能に組み付けられている。また、座部１２の両側には、前後方向に延びる肘掛け部１５が組み付けられている。
【００１３】
座部１２の下側には、図２に示すように背もたれ部１３を傾動させるためのリクライニング機構１６が備えられており、そのリクライニング機構１６のモータ１６ａの駆動により背もたれ部１３のリクライニングがなされるようになっている。また、オットマン１４についても、座部１２の下側にオットマン１４の上下動機構１７（図３参照）が備えられるとともに、この上下動機構１７の駆動によりオットマン１４が上下動されるようになっている。
【００１４】
背もたれ部１３は、硬質樹脂材料からなり内部の収容空間にメカマッサージ機構２０を収容する背もたれ本体２１と、この背もたれ本体２１の前面に一体固定されるカバー部３１とを有している。
【００１５】
背もたれ本体２１は、硬質樹脂材料からなり前面が上下方向に長く開口された略矩形状の開口部（図示略）を有するバックボード２２と、このバックボード２２の背面側に取り付けられるバックカバー２３とを有している。背もたれ本体２１は、バックボード２２及びバックカバー２３の間に収容され所定部位に取り付けられる略長方形状の機構部フレーム（図示略）を有している。
【００１６】
前記機構部フレームには、その長手方向（上下方向）の内側面に、メカマッサージ機構２０がスライド可能に組み込まれるガイドレール２０ｂが形成されている。メカマッサージ機構２０は、メカマッサージ機構２０に組み付けられる駆動モータ（図示略）により上下動される。メカマッサージ機構２０には、幅方向の回転軸にて連結されたもみ玉２０ａが対で備えられ、その駆動モータ又は別途設けられた駆動モータによりその一対の揉み玉２０ａが幅（左右）方向及び前後方向に駆動させる。このようにメカマッサージ機構２０の上下動に加えて、揉み玉２０ａの幅方向及び前後方向の動作がメカマッサージ機構２０と電気的に接続される制御部６０によって組み合わされることで、揉み玉２０ａによる３次元の施療動作が行われるようになっている。
【００１７】
また、本実施形態のマッサージ機１０には、背もたれ部１３やオットマン１４等に膨縮動作可能なエアバッグによりなるエアマッサージ機構２５（図３参照）が設けられている。エアマッサージ機構２５は、制御部６０によって制御される図示しないエアポンプからの空気の給排気によってエアバッグが膨縮動作されるようになっている。
【００１８】
背もたれ本体２１の前面に設けられるカバー部３１は、前記背もたれ本体２１のバックボード２２の開口部以外の前面略全体を覆う第１カバー部材３２と、この第１カバー部材３２の上側前面に配置される第２カバー部材３３と、この第１カバー部材３２の下側前面の左右方向中央部において前記バックボード２２の開口部を閉塞する第３カバー部材３４とを有している。これら各カバー部材３２，３３，３４にはスポンジ状部材が表皮材にて覆われて構成されている。
【００１９】
また、カバー部３１の上下方向略中間位置よりも上側には、その前面に枕部３５が配置可能に設けられている。この枕部３５は、クッション材が表皮材にて覆われてなる枕本体３５ａと、この枕本体３５ａの後端側において前記背もたれ本体２１に固定接続される接続部３５ｂとを有している。接続部３５ｂは前記枕本体３５ａの表皮材と同一の材料にて構成され、その後端部３５ｃは、前記背もたれ本体２１のバックボード２２の最後端に固定されている。
【００２０】
また本実施形態のマッサージ機１０には、座部１２に使用者の着座を検出するための静電容量式センサからなる着座検出センサ４０が設けられている。この着座検出センサ４０は、前記制御部６０と電気的に接続されるとともに、着座検出センサ４０から所定の信号が制御部６０に出力されるようになっている。また着座検出センサ４０は、座部１２の上面の前後方向長さに対して所定の長さ（例えば５０％以上の長さ）を有する検出面を有している。
【００２１】
また、図１に示すように２つ設けられる肘掛け部１５のうちの一方には、その左右方向外側に置き台５０が取り付けられている。この置き台５０には図４に示すように使用者によって前記メカマッサージ機構２０、エアマッサージ機構２５、リクライニング機構１６及び上下動機構１７の駆動を制御する制御部６０に対して指令信号を発する操作部５１と電気的に接続されている。
【００２２】
操作部５１には、使用者の使用頻度の高いメインスイッチ群５２と、使用者の使用頻度の低いサブスイッチ群５３と、音声又は音を出力するスピーカ５４と、複数の発光素子を有する光源部５５と、現時点の施療部位等の表示が可能な表示部５６とを有している。ここで、「メインスイッチ群」とは、例えば、オンオフスイッチ５２ａ、緊急停止スイッチ５２ｂ、自動コース選択スイッチ５２ｃ、リクライニング調整スイッチ５２ｄ、オットマン調整スイッチ５２ｅのことである。オンオフスイッチ５２ａは、マッサージ機１０の各機構１６，１７，２０，２５を駆動可能な状態と駆動不能な状態とに切り替えるものであり、例えばマッサージ中に操作されると、各機構１６，１７，２０，２５を初期位置まで動作させてマッサージを終了させるものである。緊急停止スイッチ５２ｂは、例えばマッサージ中に押下されると、各部をその停止スイッチ５２ｂが操作された時点の位置でマッサージを終了させるためのものである。自動コース選択スイッチ５２ｃは、前記制御部６０の図示しないメモリに予め記憶された自動コースプログラムに基づいたマッサージを実施させるためのものである。リクライニング調整スイッチ５２ｄは、前記リクライニング機構１６を駆動させて座部１２に対する背もたれ部１３の角度を調整するためのものである。オットマン調整スイッチ５２ｅは、前記上下動機構１７を駆動させて座部１２に対するオットマン１４の角度を調整するためのものである。また、「サブスイッチ群」とは、揉み玉２０ａやエアバッグの押圧力や揉み玉２０ａの位置を微調整する調整スイッチ５３ａ、光源オンオフスイッチ５３ｂ、音声オンオフスイッチ５３ｃ、一部の身体部位のみをマッサージするためのお好みスイッチ５３ｄのことである。
【００２３】
操作部５１に設けられる光源部５５は、例えば波長（発色）の異なる複数の発光素子が前記メインスイッチ群５２の周囲を覆うように環状となる配置態様で構成されている。なお、本実施形態では、赤、青、緑の３色が独立して発光可能な発光素子にて構成されるとともに、これらの発光素子を制御部６０にて制御することで様々な色を作り出すことができるようになっている。なお、光源部５５は前述の光源オンオフスイッチ５３ｂによってオフ設定されている場合は、光源部５５による発光は禁止されるようになっている。
【００２４】
操作部５１に設けられるスピーカ５４は、図示しないメモリに予め記憶された音声データ等を出力するためのものであり、本実施形態では例えば操作部５１の操作方法を報知するためのものである。
【００２５】
次に、上記のように構成されたマッサージ機１０の一動作例について説明する。
図示しない商用電源と接続された状態のマッサージ機１０において、制御部６０は着座検出センサ４０によって使用者の着座が検出されると、操作部５１の一部である光源部５５の赤色発光素子を点灯（点滅）させる。これによって使用者に対して確実に着座したことを報知することができる。これと同時に、制御部６０は、着座した旨の報知を音声によりスピーカ５４から報知するようになっている。また制御部６０は、図示しない自身のメモリに予め記憶された音声データによって使用者に対して操作部５１の使用方法を報知するようになっている。具体的には、制御部６０は、着座検出センサ４０によって着座検出されると、予め前記メモリ内に記憶された音声データを用いて「マッサージを行う場合には、操作部のオンオフスイッチを押してください。」といった操作部５１の操作方法のアナウンスをスピーカ５４から報知させる。
【００２６】
また、制御部６０は着座検出センサ４０によって着座検出された後に、例えば操作部５１のオンオフスイッチ５２ａが押下されるまで、前記メカマッサージ機構２０、エアマッサージ機構２５、リクライニング機構１６及び上下動機構１７の駆動を停止させる動作禁止状態とする。そして、操作部５１のオンオフスイッチ５２ａが押下されると、制御部６０は、メカマッサージ機構２０、エアマッサージ機構２５、リクライニング機構１６及び上下動機構１７を駆動可能な動作許可状態に遷移させる。この動作許可状態においては、操作部５１に設けられる各スイッチ５２ａ〜５２ｅ，５３ａ〜５３ｄが操作に基づく前記各機構１６，１７，２０，２５の駆動が可能な状態とされる。このため、オンオフスイッチ５２ａを押圧して動作許可状態とされてからは、背もたれ部１３の傾動角度やオットマン１４の傾動角度を操作部５１の各スイッチ５２ｄ，５２ｅによって調整することができるようになっている。
【００２７】
そして、制御部６０は、オンオフスイッチ５２ａが操作されて、各機構１６，１７，２０，２５が動作可能な動作許可状態とされると、前記メモリ内に記憶された音声データによりスピーカ５４から操作部５１の操作方法が報知される。このため、使用者はそのスピーカ５４から出力される音声に基づいて容易に操作部５１を操作することが可能とされる。
【００２８】
また、制御部６０は、前記動作許可状態において操作部５１の例えば複数設けられる自動コース選択スイッチ５２ｃのうちのいずれかが押下されると、予めプログラムされた自動コースプログラムに沿って各機構１６，１７，２０，２５を駆動させるようになっている。また、操作部５１に複数設けられるお好みスイッチ５３ｄのいずれかが押下されると、そのスイッチ５３ｄに応じて揉みやたたき（叩打）、また頚椎を中心としたマッサージが可能とされている。
【００２９】
また、メカマッサージ機構２０やエアマッサージ機構２５が駆動されるとその駆動状態に応じて制御部６０により光源部５５の色が変化されるようになっている。具体的には、制御部６０は図５に示すように、たたき動作実施時には赤色の発光素子、揉み動作実施時には青色の発光素子、頚椎を中心としたマッサージ動作実施時には緑色の発光素子を光源部５５にて発光させるようになっている。また、たたき動作と揉み動作の組み合わせ動作の場合、制御部６０は赤色及び青色の発光素子を発光させて光源部５５から紫色の光を出力させるようになっている。また、たたき動作と頚椎を中心としたマッサージ動作の組み合わせ動作の場合、制御部６０は赤色及び緑色の発光素子を発光させて光源部５５から黄色の光を出力させるようになっている。また、揉み動作と頚椎を中心としたマッサージ動作の組み合わせ動作の場合、制御部６０は青色及び緑色の発光素子を発光させて光源部５５から水色の光を出力させるようになっている。このように各マッサージ機構２０，２５の駆動状態に応じて光源部５５からの光の色を変化させることで、使用者にその旨を報知するとともに使用者が操作部５１の表示部５６等を凝視することを抑えてストレス感を与えることを抑制できるようになっている。
【００３０】
次に、本実施形態の特徴的な作用効果を記載する。
（１）操作部５１は、使用頻度が比較的高いメインスイッチ群５２と、使用頻度が比較的低いサブスイッチ群５３とを有し、メインスイッチ群５２の周囲を覆うように光源部５５が備えられる。このような構成とすることで、使用者に対して便利で頻繁に使うスイッチを光源部５５の光によって報知することができるため、操作部５１を容易に使用することが可能となる。
【００３１】
（２）光源部５５は、複数の色に変化可能なように光の３原色である赤、青、緑の発光素子にて構成される。制御部６０は、マッサージ機１０の各状態（マッサージ機構２０，２５の駆動状態）を、光源部５５による所定の色と対応づけることにより報知される。このように、光源部５５の色の差異によってマッサージ機１０の状態を報知することができるため、使用者が操作部５１の表示部５６等を凝視することを抑えてストレス感を与えることを抑制できる。
【００３２】
尚、本発明の実施形態は、以下のように変更してもよい。
・上記実施形態では、光源部５５に設けられる発光素子を赤、青、緑の３色としたが、これに限らない。単色や２色、または４色以上の発光素子にて光源部５５を構成してもよい。
【００３３】
・上記実施形態では、たたき動作実施時には赤色の発光素子、揉み動作実施時には青色の発光素子、頚椎を中心としたマッサージ動作実施時には緑色の発光素子を用いて光源部５５を発光させる構成としたが、これに限らない。
【００３４】
・上記実施形態では、特に言及していないが、例えば光源部５５を構成する赤、青、緑の３色の発光素子の光量を調整することでさらに色の種類を増やすようにしてもよい。各発光素子の光量の調整方法としては、図６に示すように各発光素子毎にデューティ制御を実施することで調整することができる。図６の制御例について説明すると、まず赤色の発光素子をデューティ比１０％程度で制御部６０（図３参照）にて動作させるとともに、動作開始から約４４０ｍｓ後までにデューティ比１００％となるように動作させる、この間、青及び緑の発光素子はデューティ比０％、つまり駆動されていない。このため、０ｍｓから４４０ｍｓ間は光量の低い赤色から光量の高い赤色で光源部５５（図３及び図４参照）が駆動される。その後、約４８０ｍｓから９６０ｍｓまでに青色の発光素子をデューティ比０％から１００％となるように動作させるとともに、赤色の発光素子は継続してデューティ比１００％となるように制御部６０にて駆動される。この時、光源部５５から出力される光の色は青色の発光素子を動作させるデューティ比によって徐々に赤色から紫色に変化されるようになっている。このように光源部５５の各発光素子毎にデューティ比を変化させることで色の種類を増やすことができる。
【００３５】
・上記実施形態では、特に言及していないが、マッサージ実行中にその光源部５５の明るさを変化させる構成を採用してもよい。このように光源部５５の明るさを適宜変更することで使用者に対してヒーリング（癒し）効果を付与することが可能となる。単に光源部５５が常時点灯する場合と比較して、商品としての趣向性向上に寄与することができる。
【００３６】
・上記実施形態では、特に言及していないが、マッサージ動作の強さに連動して光源部５５による明るさを変化させるように制御部６０にて光源部５５の発光素子を制御するように構成してもよい。
【００３７】
・上記実施形態では、特に言及していないが、図３に示すようにマッサージ機１０に使用者の生体情報を測定する生体情報測定装置７０を備え、この装置７０によって得られた結果に基づいて光源部５５の色を決定するように制御部６０にて制御する構成を採用してもよい。なお、生体情報とは、心拍、呼吸、汗、体温、血圧などのことであり、生体情報測定装置７０はこれらを測定する装置のことである。
【００３８】
また、生体情報測定装置７０に基づく光源部５５の色決定の制御例としては、使用者の生体情報がリラックス状態（弛緩状態）に変化された結果が得られた場合、制御部６０は例えば光源部５５の色を青色に変化させる。さらに、制御部６０は、使用者の生体情報がリフレッシュ状態に変化された結果が得られた場合、制御部６０は例えば光源部５５の色を緑色に変化させる。このように生体情報の変化に応じて光源部５５の色の変化を変化させることで、生体情報の変化を使用者に報知することができる。
【００３９】
また生体情報測定装置７０に基づく光源部５５の色決定の他の制御例としては、使用者の生体情報の結果からリラックスさせる必要がある場合には、制御部６０は光源部５５の色を青色に変化させて点灯状態やヒーリング効果のある点滅状態となるよう制御する。このように生体情報に基づいて光源部５５の色の変化によって好適な生体情報に誘うことで、より好適なマッサージ効果（リラックス効果）を付与することが可能となる。
【符号の説明】
【００４０】
１０…マッサージ機、２０…メカマッサージ機構（マッサージ手段）、２５…エアマッサージ機構（マッサージ手段）、５１…操作部、５２…メインスイッチ群（メインスイッチ）、５３…サブスイッチ群（サブスイッチ）、５５…光源部、６０…制御部、７０…生体情報測定手段。
【図１】
2011250839.tif 000003
【図２】
2011250839.tif 000004
【図３】
2011250839.tif 000005
【図４】
2011250839.tif 000006
【図５】
2011250839.tif 000007
【図６】
2011250839.tif 000008